(57)【要約】【課題】  カルバートの接続,組付けが容易で更に安価にして小回りのきくカルバート用接続治具を提供する。【解決手段】  所定間隙εを開けて置かれる一のカルバートと他のカルバートとを寄せて接続させるカルバート用接続治具で、基板部４上に立壁部５を立設し、基板部４を一のカルバートの開口端近くの内壁９４に係止セットし得る補具Ｂと、開口Ｏのある枠状体からなり、該枠状体の基端部に他のカルバートの開口端近くの内壁９４へ係止可能な止部１を形成すると共に先端部に保持部２を形成し内壁９４への該止部１の係止により該枠状体内に立壁部５を保持部２に係る起立部分２１と対向するように配し得る主具Ａと、伸縮方向の両端部を起立部分２１と立壁部５とに当接させて該起立部分と該立壁部の間に配設される伸縮手段７とを具備し、伸縮手段７を伸長させることにより一のカルバートと他のカルバートとを接続するようにした。【選択図】  図１
2006112079.tif 000002
【特許請求の範囲】
【請求項１】
所定間隙を開けて置かれる一のカルバートと他のカルバートとを寄せて接続させるカルバート用接続治具であって、
基板部上に立壁部を立設し、該基板部を一のカルバートの開口端近くの内壁に係止可能にセットし得る補具(Ｂ)と、
開口のある枠状体からなり、該枠状体の基端部に他のカルバートの開口端近くの内壁へ係止可能な止部を形成すると共に先端部に保持部を形成し、該内壁への該止部の係止により前記一のカルバートに係止された立壁部を、前記保持部に係る起立部分と対向するようにして、該枠状体内に配することのできる主具(Ａ)と、
伸縮方向の両端部を前記起立部分と前記立壁部とに当接させて該起立部分と該立壁部の間に配設される伸縮手段(７)と、を具備し、
該伸縮手段を伸長させることにより一のカルバートと他のカルバートと寄せ、両者を接続するようにしたカルバート用接続治具。
【発明の詳細な説明】
【技術分野】
【０００１】
本発明は、土木,建築の両分野で共同溝,排水路,地下道などに用いられるコンクリート製カルバートを接続するためのカルバート用接続治具に関する。
【背景技術】
【０００２】
ボックスカルバート製品は、鉄筋コンクリート製,プレストレスコンクリート製などであり,これらは予め工場で製作されている。このコンクリート製ボックスカルバート（以下、単に「カルバート」という。）は搬送して共同溝などの施工現場に供される。
近年、ボックスカルバートは用途の拡大と工期の短縮化から大型化し、これと相まってその重量も重くなっている。共同溝などの施工現場では、工場から搬送されてきたカルバートをクレーン車,フォークリフト,門形クレーンなどにより吊り上げ, 運搬移動して予め用意された種々の基礎上に順次配設,接続して、組付けられていく。
【０００３】
カルバートは前述のごとくサイズが大きいうえに重いため、現場でカルバートを所望の状態に短時間で簡単に配設,接続して組付けることは容易でない。現場での配設,接続作業は、ヒッパラーやウインチなどを用いて人手に頼る部分が多く、手間がかかり工数が大になる問題があった。とりわけ、一方の開口端が雄形開口端で他方の開口端が雌形開口端となるカルバートで、 雄形開口端と雌形開口端とが所定間隙開いて配設された一のカルバートと他のカルバートとを嵌合,連結させる場合、その組付けは困難を極めていた。
こうしたことから、共同溝などの現場施工について例えば「工事省力化と迅速に役立つアサヒＰＣボックスカルバート」がインターネット上で提案されている（非特許文献１）。
【０００４】
【非特許文献１】http//www.asahi-concrete.co.jp/pcbox.htm
【０００５】
非特許文献１は、共同溝等の施工現場で、基礎上に予めレールを敷設し、このレール上にカルバートを載せた走行台車を走らせて、順次、新設のカルバートを既設のカルバートに押し込み接続,組付けていく工法である。
【０００６】
しかしながら、前記工法においては、レールの敷設や走行台車などを必要とし現場接続用施工装置が大仕掛けになり、イニシャルコスト,ランニングコストが嵩み、現場施工全体としての施工コストを押し上げてしまうという問題があった。
【発明の開示】
【発明が解決しようとする課題】
【０００７】
本発明は上記問題点を解決するもので、カルバートの接続,組付けが容易で、さらに安価にして小回りのきくカルバート用接続治具を提供することを目的とする。
【課題を解決するための手段】
【０００８】
上記目的を達成すべく、請求項１に記載の発明の要旨は、所定間隙を開けて置かれる一のカルバートと他のカルバートとを寄せて接続させるカルバート用接続治具であって、基板部上に立壁部を立設し、該基板部を一のカルバートの開口端近くの内壁に係止可能にセットし得る補具(Ｂ)と、開口のある枠状体からなり、該枠状体の基端部に他のカルバートの開口端近くの内壁へ係止可能な止部を形成すると共に先端部に保持部を形成し、該内壁への該止部の係止により前記一のカルバートに係止された立壁部を、前記保持部に係る起立部分と対向するようにして、該枠状体内に配することのできる主具(Ａ)と、伸縮方向の両端部を前記起立部分と前記立壁部とに当接させて該起立部分と該立壁部の間に配設される伸縮手段(７)と、を具備し、該伸縮手段を伸長させることにより一のカルバートと他のカルバートと寄せ、両者を接続するようにしたカルバート用接続治具にある。
【発明の効果】
【０００９】
本発明のカルバート用接続治具は、共同溝などの施工現場において、簡易な構造ながら小回りがきき、カルバートの接続,組付けを容易且つ安価になし、さらに工期の短縮化が図られるなど優れた効果を発揮する。
【発明を実施するための最良の形態】
【００１０】
以下、本発明のカルバート用接続治具(以下、単に「接続治具」という。)について詳述する。図１〜図６は本発明の接続治具の一形態で、図１は接続治具をカルバートの接続に適用した様子を正面側からみた一部断面図、図２は図１の平面図、図３は（イ）が接続治具に係る主具の平面図、（ロ）がその正面図、図４は（イ）が接続治具に係る補具の平面図、（ロ）はその正面図、図５は接続治具をカルバートのハンチの内壁に固定し、伸縮手段を起立部分と立壁部の間に置いた様子を示す斜視図、図６は嵌込み形ボックスカルバートの雄形開口端側からみた図で、カルバート底部の２箇所のハンチの内壁に接続治具の補具が固定されている図、図７は嵌込み形ボックスカルバートの斜視図、図８は嵌込み形ボックスカルバートの構造を示す縦断面図である。尚、図面を判り易くするため断面表示のハッチングを一部省略している。
【００１１】
接続治具Ｊの説明に先立ち、本実施形態で用いるカルバート９について概説する。カルバート９は、図６〜図８のごとくコンクリート製の厚い壁で囲まれた四角筒状体で、内空Ｅが配管,排水路,人道などの通路となる。図８のごとく、カルバート９の一方の開口端は内壁側に凸部を有する雄形開口端９１となり、他方の開口端は外壁側に凸部を有する雌形開口端９２となっている。四角筒状体の内壁の各角部にはカルバート９の強度を増すためにカルバートの軸方向９６に沿って帯状に伸びるハンチ９５が設けられている。
共同溝などの施工現場では、通常、予め準備された基礎上にカルバート９,９,…を配設し、次いで各カルバート９を順次接続していく。施工現場では、先ず図１,図２のように第１カルバート９Ｂ(一のカルバート)の雄形開口端９１と第２カルバート９Ａ(他のカルバート)の雌形開口端９２とが所定間隙εを開けて配設される。ここでの第１,第２カルバート９Ａ,９Ｂの開口端近くのハンチ内壁９５ａの所定部位には予め雌螺子形成部材９７が埋設されており、ボルトＢ１,Ｂ２を用いて該雌螺子形成部材９７に本発明の接続治具Ｊを螺着固定できるようになっている。
【００１２】
接続治具Ｊは、補具Ｂと主具Ａと伸縮手段７と加圧ポンプ８とを備える。
補具Ｂは鋼製のベース具で、基板部４上に立壁部５を立設して、該基板部４を第１カルバート９Ｂに係止可能にセットできる(図４)。本実施形態の補具Ｂには長方形板状の基板部４の一端寄りにボルト孔４３が穿設される。該ボルト孔４３を第１カルバート９Ｂの前記雌螺子形成材９７に位置合わせした後、ボルトＢ２で螺着係止することによって、図１のごとく基板部４の他端がハンチ内壁９５ａ上で第１カルバート主部９０の中央へ向かうようにして補具Ｂをカルバートの開口端近くの内壁９４に固定できる。基板部４は長方形板状したベース部分４０が主部分であるが、ボルト孔４３周りは隆起部分４１になっていて、ここに立壁部５が起立する。立壁部５は伸縮手段７への当て面５ａが第１カルバート９Ｂの主部９０の中央側に向くようにし、且つカルバート主部９０の中央側に張出し部分４１ａを残して該立壁部５が隆起部分４１上に起立する(図４)。符号６は立壁部５を強度補強する板片状の補強部分、符号４２は基板部４の他端側で長方形板状に長く延びるベース部分４０の両側縁に沿わせて、ベース部分４０の上面より高くした帯板状のガイド部分を示す。立壁部５の当て面５ａの地点からベース部分４０の他端までの長さＬ１は、施工現場に置かれる第１カルバート９Ｂと第２カルバート９Ａの所定間隙εに、伸長手段の最長時の長さを加えた長さより長くなるよう定められる。立壁部５よりも主部９０の中央側に配される該ベース部分４０の上面は平滑面になっていて、この上面に載る主具Ａの保持部２を滑動し易くする。
【００１３】
主具Ａは補具Ｂとの係合具で、長方形状の開口Ｏのある鋼製の枠状体からなる(図３)。主具Ａは枠状体の基端部に第２カルバート９Ａの開口端近くのハンチ内壁９５ａへ係止可能な止部１を形成する一方、該枠状体の先端部に保持部２を形成する。主具Ａは、前記補具Ｂを第１カルバート９Ｂの開口端近くのハンチ内壁９５ａに係止セットした後、第２カルバート９Ａの内壁９４(ここではハンチ９５の内壁)に止部１を係止することによって枠状体内に補具Ｂに係る立壁部５を起立配設し、且つ該立壁部５を保持部２の起立部分２１と相対向させることができる係合具になっている(図１)。
【００１４】
本実施形態の主具Ａは、図２,図３のごとく止部１と保持部２とを長い棒材からなる連結部材３,３で固着してなる開口Ｏのある枠状体である。止部１は方形板からなる止板部分１０に垂設部分１１を立設し、また保持部２は略方形板からなる平板部分２０に起立部分２１を立設する。接続治具Ｊが組付けられたときに、起立部分２１は伸縮手段７との当て面２１ａが立壁部５の当て面５ａ側に向いて、且つ立壁部５側に張出し部分２０ａを残して平板部分２０上に起立する。前記両ガイド部分４２,４２間に保持部２が収まり、その起立部分２１を前記垂設部分１１に対向させるようにしている。伸縮手段７の作動により、保持部２は両ガイド部分４２にガイドされてベース部分４０上でカルバート９の軸方向９６に滑動できる。
主具Ａには図３のごとく止板部分１０の中央にボルト孔１０ａが穿設される。該ボルト孔１０ａを第２カルバート９Ａのハンチ内壁９５ａに埋設された雌螺子形成部材９７に位置合わせした後、ボルトＢ１で主具Ａを第２カルバート９Ａに螺着係止することによって、第１カルバート９Ｂに補具Ｂが既に係止されておれば、枠状体内に該補具Ｂの立壁部５を取込んで、保持部２を図１,図２のごとく第１カルバート９Ｂに在る基板部４のベース部分４０上に載置できる。主具Ａは、斯る状態下で、施工現場に置かれる第１カルバート９Ｂと第２カルバート９Ａの所定間隙εを確保でき、さらに立壁部５の当て面５ａとこれに対向する保持部２に係る起立部分２１の当て面２１ａとの間に伸縮手段７を配設できる長手方向(図２の紙面左右方向)長さがある形状になっている。また、この図１,図２の状態下の保持部２の位置から補具Ｂの他端までの長さＬ２が所定間隙εの長さより長くなるよう補具Ｂのベース部分４０の長さが設定される。符号２２は起立部分２１を強化する補強部分、符号２０ｂは張出し部分２０ａに設けた切欠孔を示す。
【００１５】
本実施形態は伸縮手段７として公知の水圧ジャッキ７を用いる。水圧ジャッキ７は水圧上昇に伴ってジャッキ本体７０から所定間隙εに相応する伸長可能なロッド７１を備える。ロッド７１をジャッキ本体７０内に収めてロッド７１が収縮した状態下で、水圧ジャッキ７の長さが最も小さくなる。斯る状態の水圧ジャッキ７にすると、図１,図５のごとく所定間隙εを開けて配設された第１,第２カルバート９Ａ上の起立部分２１と立壁部５との間に該水圧ジャッキを置くことができる。水圧ジャッキ７は主具Ａの平板部分２０に係る張出し部分２０ａと、補具Ｂの隆起部分４１に係る張出し部分４１ａに載る。切欠孔２０ｂに水圧ジャッキ７のラチェットレンチ用凸部７２ｂを嵌合させることによって、接続治具Ｊへの水圧ジャッキ７のセットがうまくいく。符号７２はロッド７１先端に一体化された水圧ジャッキ７の頭部、符号７０ａはジャッキ本体７０の後部である。伸縮方向の水圧ジャッキ７の両端部７０ａ,７２ａを起立部分２１と立壁部５とに当接させた後、ロッド７１を伸長させることにより第１カルバート９Ｂと第２カルバート９Ａとを近づけ両者を接続できる構成にある。符号７３は頭部７２に設けられたノズルで、ホースＰを介して加圧ポンプ８につながる。
【００１６】
ここでの加圧ポンプ８は公知の水圧ポンプを用いる。水圧ポンプ８の本体に設けたホース用取付口８１ａにホースＰの一端を接続し、ホース他端を前記ノズル７３に接続した後、レバー８２を上下動させることによって水圧ポンプ８の圧を水圧ジャッキ７に送り込むことができる。水圧ポンプ８及び前記水圧ジャッキ７は一人で簡単に運べる大きさ,重量になっている。
【００１７】
次に、前記接続治具Ｊを用いてカルバート同士を寄せて接続する一施工法を述べる。ここでは、図６のごとくカルバート底部側の２箇所のハンチ内壁９５ａにカルバートの軸方向９６に一致させた一対の接続治具Ｊを配設する。
予め準備された基礎Ｋ上の所定位置に、図１〜３のごとく第１カルバート９Ｂと第２カルバート９Ａとが所定間隙εを開けて配設される。第２カルバート９Ａは施工を終えた最終部の既設カルバートであり、第１カルバート９Ｂはこれから第２カルバート９Ａに接続する新設のカルバートである。白抜き矢印はカルバート９を順次接続していく方向である。
【００１８】
先ず、第１カルバート９Ｂのハンチ内壁９５ａ上の所定位置に、補具Ｂをカルバート９の軸方向９６に一致にさせて係止セットする。補具Ｂのボルト孔４３よりもガイド部分４２が第１カルバート９Ｂの主部中央側に配されるようにして、該ボルト孔４３を第１カルバート９Ｂの雌螺子形成部材９７に合わせた後、ボルトＢ２で補具Ｂを第１カルバート９Ｂに螺着固定する。
【００１９】
続いて、第１,第２カルバート９Ａがつくる間隙εを、主具Ａが跨ぐようにし且つ第２カルバート９Ａの軸方向９６に主具Ａの長手方向が一致するようにして、該主具Ａに係る止部１を第２カルバート９Ａのハンチ内壁９５ａに係止セットする。止部１のボルト孔１０ａを第２カルバート９Ａの雌螺子形成部材９７に合わせた後、ボルトＢ１で主具Ａを第２カルバート９Ａに螺着固定する。この螺着固定によって、主具Ａが該立壁部５を上方から開口Ｏ内に取り込み、且つ保持部２が立壁部５を超え、該保持部２が補具Ｂのベース部分４０上に載る。
【００２０】
次いで、水圧ジャッキ７を立壁部５と保持部２に係る起立部分２１との間に載せる(図５)。水圧ジャッキ７の伸縮方向の両端部７０ａ,７２ａを起立部分２１と立壁部５とに当接させる(図１)。水圧ジャッキ７の頭部７２を主具Ａの起立部分２１に当接させ、水圧ジャッキ本体７０の後部７０ａを補具Ｂの立壁部５に当接させるよう調整する。
【００２１】
このように接続治具Ｊ,水圧ポンプ８をカルバート９にセットした後、水圧ポンプ８から水圧ジャッキ７に圧を送り込んで、ロッド７１を伸長させる。ロッド７１を伸長させることによって、第１カルバート９Ｂと第２カルバート９Ａとを近づけ接続させる。
第２カルバート９Ａは施工中カルバートの最終部で既設のものであり、基礎上で不動である。したがって、第２カルバート９Ａに固定された主具Ａも基礎Ｋに対して不動となる。ロッド７１が伸長すると、起立部分２１が動かないためジャッキ本体７０の後部７０ａが立壁部５を図１,図２の白抜き矢印方向へ押しやり、立壁部５が起立部分２１に対して図１の白抜き矢印方向へと相対移動する。立壁部５と一体化した補具Ｂ,第１カルバート９Ｂも同方向に相対移動する。第１カルバート９Ｂが白抜き矢印方向に移動して第２カルバート９Ａに近づき、第１カルバート９Ｂの雄形形成部９１ａと第２カルバート９Ａの雌型形成部９２ａが嵌合して両カルバートが接続される。
【００２２】
カルバート９の接続を終えた後は、水圧ポンプ８の水圧を落しロッド７１を収縮させ、該水圧ジャッキ７を接続治具Ｊから外す。しかる後、ボルトＢ１,Ｂ２をカルバート９から引き抜き、主具Ａ,補具Ｂを第１,第２カルバート９Ａから取外して第１,第２カルバート９Ａ,９Ｂの連結作業を終了する。斯る作業を繰返すことによって、カルバート９の連結で出来る共同溝等の施工を完了させることができる。
【００２３】
このように構成した接続治具Ｊは、既述のごとく主具Ａと補具Ｂと伸縮手段７と加圧ポンプ８との簡単な構成ながら、カルバート同士の現場での接続を円滑に進めることができる。カルバート９の現場での接続にあたって、これまでのような大仕掛けの施工装置を必要としない。本接続治具Ｊは既述のごとく構造で単純であって低コストにして故障が少ない。イニシャルコスト,ランニングコストが少なくて済む。持ち運びも楽で小回りがきく。
【００２４】
さらに図６〜図８のような、一方に雄形形成部９１ａを他方に雌型形成部９２ａを設けた嵌込み形カルバート９の連結接続にあっても、図６のごとくカルバート９の下部両側ハンチ９５の２箇所に接続治具Ｊ,Ｊを設置すれば、方向調整が容易で精度を保ってカルバート同士を簡単且つ正確に嵌合連結でき極めて有用な接続治具になる。図１,図２で伸縮手段７が伸長すれば、枠状体内に配された立壁部５が該伸縮手段７に押されて第２カルバート９Ａに移動する。その際、立壁部５に一体の補具Ｂ,第１カルバート９Ｂも同様に移動して、該第１カルバート９Ｂの雄形形成部９１ａが第２カルバート９Ａの雌型形成部９２ａの在る所に上手く引き込まれ嵌合する。加圧ポンプ８から伸縮手段７たる水圧ジャッキ７に圧を送り込むだけで、カルバート同士の接続作業をたやすくできる。
【００２５】
尚、本発明においては前記実施形態に示すものに限られず、実施形態は目的,用途に応じて本発明の範囲で種々変更できる。主具Ａ,補具Ｂ,伸縮手段７,加圧ポンプ８,カルバート９の形状,大きさ,個数,材質等は用途に合わせて適宜選択できる。例えば加圧ポンプ８に実施形態では水圧ポンプ８を用いたが、油圧ポンプ等を用いることができる。雌螺子形成部材９７はカルバート成形時にインサートしたものを用いたが、該雌螺子形成部材９７は後加工でカルバートに埋設できる。主具,補具の位置関係、第１,第２カルバートの位置関係は実施形態と逆置きにできる。
【図面の簡単な説明】
【００２６】
【図１】本発明のカルバート用接続治具の一形態で、これを嵌込み形ボックスカルバートに組付けた様子を示す一部断面正面図である。
【図２】図１の平面図である。
【図３】（イ）は主具の平面図、（ロ）はその正面図である。
【図４】（イ）は補具の平面図、（ロ）はその正面図である。
【図５】カルバートのハンチ内壁にカルバート用接続治具を取付けた様子を示す斜視図である。
【図６】ハンチ内壁にカルバート用接続治具を係止した様子を示す側面概略図である。
【図７】嵌込み形ボックスカルバートの斜視図である。
【図８】嵌込み形ボックスカルバートの構造を示す縦断面図である。
【符号の説明】
【００２７】
１              止具
２              保持部
２１            起立部分
４              基板部
５              立壁部
７              伸縮手段
７０ａ,７２ａ    伸縮方向の両端部
９              カルバート
９Ｂ            一のカルバート(第１カルバート)
９Ａ            他のカルバート(第２カルバート)
９４            内壁
９５ａ          ハンチ内壁(内壁)
【図１】
2006112079.tif 000003
【図２】
2006112079.tif 000004
【図３】
2006112079.tif 000005
【図４】
2006112079.tif 000006
【図５】
2006112079.tif 000007
【図６】
2006112079.tif 000008
【図７】
2006112079.tif 000009
【図８】
2006112079.tif 000010